(57)【要約】【課題】異なる種類のオーディオ装置に記憶されたオーディオデータを出力すべく該オーディオ装置に結合できるオーディオ変換演奏装置を提供する。【解決手段】オーディオ変換演奏装置は、パワーアンプホストとコンバータとを含む。パワーアンプホストは、増幅スピーカに結合された本体を含む。本体の両側には、滑り溝がそれぞれ形成されている。複数の信号入力コネクタが本体に設けられている。コンバータには、Ｕ字状のホルダ上に開放容器が一体的に形成されている。２つのリブが、対応する滑り溝に保持されるように、Ｕ字状ホルダの内側にそれぞれ形成されている。信号接続ポートは前記容器の底に設置されている。信号出力コネクタは、前記容器の外面に設置されている。信号出力コネクタは、適切な規格の信号ラインによって外部のマイクロホンに音声を出力することができる。【選択図】図１
0003120915.tif 000002
【実用新案登録請求の範囲】
【請求項１】
増幅スピーカに結合される本体であって複数の異なる信号入力コネクタおよび両側を有し該両側に２つの滑り溝が形成された本体を備えるパワーアンプホストと、Ｕ字状のホルダ上に形成された開放容器を備えるコンバータとを含み、
前記Ｕ字状ホルダは対応する前記滑り溝に保持されるべきリブを有する２つの内方対向壁を備え、前記開放容器は、複数の異なる信号接続ポートをその底部に有しかつ複数の信号出力コネクタを前記開放容器の外面に有する、オーディオ変換演奏装置。
【請求項２】
前記開放容器の底部の少なくとも一つの信号接続ポートは対応するアダプタに結合され、クリップボードが、前記開放容器の内側にオプションで保持されておりかつ前記クリップボードの２つの外面に形成された２つのリブを備えるＵ字状クリップボードを形成すべく曲げられている、請求項１に記載の装置。
【請求項３】
前記容器の底部の前記信号接続ポートは、デジタル信号入出力端子と、アナログ信号端子と、電源端子と、ＵＳＢ接続ポートとを含む、請求項１または２に記載の装置。
【考案の詳細な説明】
【技術分野】
【０００１】
本考案は、一般的にはオーディオ変換および演奏装置に関し、より詳細には、他のオーディオ装置に記憶されたデジタルオーディオデータを出力させるべく、該オーディオ装置に結合できるオーディオ変換演奏装置に関する。
【背景技術】
【０００２】
ＭＰ３、ＭＰ４プレーヤー、ｉＰｏｄ（商標）、ＰＤＡ、ニュー・モデル携帯電話、またはテレビジョンプログラムを見るために使うことができる３Ｇ携帯電話などの様々なポータブル電子機器が非常にポピュラーである。これらの電子機器のほとんどは、該機器にヘッドホンまたはミニオーディオのプレーヤを直接接続できるオーディオ信号出力機能を備える。また、ミニサウンドボックスが市場に出回っており、これはデジタルオーディオファイルを演奏するために、いくつかの電子機器に結合することができる。しかしながら、音声出力装置のためのこれらの拡張付属品は、通常、信号オーディオ装置の単一タイプのためにそれぞれ設計されているだけで、異なるオーディオ装置には適さない。ユーザが様々な電子機器を持っている場合、従来の音声出力装置は電子機器のすべてに互換性を有するわけではない。それゆえ、従来の音声出力装置をさらに改善することができる。
【考案の開示】
【考案が解決しようとする課題】
【０００３】
本考案の目的は、異なる種類のオーディオ装置に記憶されたオーディオデータを出力すべく該オーディオ装置に結合できるオーディオ変換演奏装置を提供することにある。
【課題を解決するための手段】
【０００４】
上記の目的を達成するために、前記装置は、パワーアンプホストと、コンバータとを含む。
【０００５】
前記パワーアンプホストは、増幅スピーカに結合された本体を含む。該本体の両側には、それぞれ滑り溝が形成されている。複数の信号入力コネクタが、前記本体の裏側表面に設けられている。
【０００６】
前記コンバータは、Ｕ字状のホルダ上に開放容器を形成する。２つのリブが、対応する滑り溝に保持されるように、Ｕ字状ホルダの２つの対向する内側にそれぞれ形成される。複数の信号接続ポートが前記開放容器の底に形成される。複数の信号出力コネクタが、前記開放容器の外面に配置されている。
【０００７】
信号接続ポートは、デジタル信号入出力端子、アナログ信号端子、電源端子およびＵＳＢ接続ポートなどを含む。信号出力コネクタは、前記容器内の回路基板を経て、該容器の底の前記信号接続ポートに電気的に接続されている。前記信号出力コネクタは、適切な規格の信号ラインによって、外部のマイクロホン装置に音声を出力することができる。
【０００８】
前記開放容器の底に形成された前記信号接続ポートは、オプションのアダプタに対応して結合することができる。前記アダプタは、外部のオーディオ装置に結合することができる。
【０００９】
さらに、クリップボードは、軽く、コンパクトなオーディオ装置を固定することができるように、前記開放容器の底に組み合せられる。
【考案を実施するための最良の形態】
【００１０】
図１および図２に関して、本考案の第１の実施例のオーディオ変換演奏装置は、パワーアンプホスト１００およびコンバータ２００を含む。パワーアンプホスト１００は矩形の本体１０を含み、該本体１０はその両側に長い滑り溝１１を備える。２つの増幅スピーカ１１０が、それぞれ本体１０の２つの側面に、ピボットで接続されている。増幅スピーカ１１０は、パワーアンプホスト１００によって処理された音声信号を出力する。複数の信号入力コネクタ１２が本体１０の裏側表面に設けられており、適切な規格の信号ラインを信号入力コネクタ１２に結合できるコンバータ２００が形成される。コンバータ２００は、Ｕ字状のホルダ２０上に開放容器２１を形成する。２つのリブ２２が、Ｕ字状のホルダ２０の２つの対向する内側にそれぞれ形成されている。２つのリブ２２は、パワーアンプホスト１００にコンバータ２００を装着するために、本体１０の両側の２つの滑り溝１１で保持される。第１の装着方法は、リブ２２を滑り溝１１に沿って滑らせるために、パワーアンプホスト１００の後ろからコンバータ２００を前進させるように押すことである。リブ２２が滑り溝１１内に完全に入ると、コンバータ２００は本体１０に完全に取り付けられる。
【００１１】
第２の装着方法は、コンバータ２００を本体１０にその頂部から押し付けることである。Ｕ字状のホルダ２０がプラスチック素材によって作られるので、Ｕ字状のホルダ２０が本体１０上に置かれて、下方へ押し付けられると、Ｕ字状のホルダ２０は、本体１０の両側に乗るためにわずかに広げられる。Ｕ字状のホルダ２０が続いて押し付けられると、リブ２２は滑り溝１１内に直接突き出されるる。コンバータ２００が本体１０上に組み合せられると、コンバータ２００は、また、本体１０に向かい合って前後方向に滑ることができる。
【００１２】
複数の異なる信号接続ポート２３が開放容器２１の底の上に形成されている。信号接続ポート２３はデジタル信号入出力端子、アナログ信号端子、電源端子、ＵＳＢ接続ポートなどを含む。この好適な実施例では、アナログ信号端子は信号プラグである。さらに、信号出力コネクタ２４が、前記容器２１の後ろに配置されている。信号出力コネクタ２４は、前記容器２１中の回路基板２５を経て、前記容器２１の底の信号接続ポート２３に電気的に接続されている。信号出力コネクタ２４は、適切な電線(参照符号はなし)によって外部のマイクロホン装置に音声を出力することができる。例えば、この好適な実施例では、パワーアンプホスト１００の本体１０の後ろの信号入力コネクタ１２を対応する信号出力コネクタ２４に接続することができる。
【００１３】
図３および図４に関して、本考案の第２の実施例の容器２１は、さらに、オプションのクリップボード３０を含む。クリップボード３０の両側は、わずかに前方に曲がり、各外側面に形成された２つのリブ３１を備えるＵ形状を形成する。クリップボード３０が容器２１中に組み合せられると、リブ３１は容器２１の内部の側面に寄り掛かり、その結果、クリップボード３０を容器２１に堅固に装着することができる。携帯電話、ｉＰｏｄおよびＰＤＡのような異なる外部オーディオ装置は、寸法が異なるので、容器２１の元の内のり幅は、幾つかの軽量、コンパクトなオーディオ装置のためには大きすぎるかもしれない。それゆえ、軽量、コンパクトなオーディオ装置は、容器２１内で堅固に保持されていないかもしれない。この状況を避けるために、クリップボード３０は、容器２１内で空間を最小化するために、容器２１内に最初に組み付けておくべきである。
【００１４】
図５に関連して、本考案の第３の実施例は、前記容器２１の底上の信号接続ポート２３が拡張可能でありかつ変更可能であることを示す。オプションのアダプタ４０をこの好適な実施例に応用することができる。アダプタ４０の底は、信号接続ポート２３のＵＳＢ接続ポートに対応するＵＳＢ接続端子４１とすることができ、また、デジタル入出力端子コネクタとすることができる。アダプタ４０の頂部は、異なる外部オーディオ装置の信号出力ポートに応じて変わる。それゆえ、本考案は、アダプタ４０を追加することによって、機能を拡張するために他のオーディオ装置に対応することができる。
【００１５】
実際の適用では、外部オーディオ装置は容器２１中に保持され、信号接続ポート２３に電気的に接続される。オーディオ装置の中に格納された音声データは、コンバータ２００とパワーアンプホスト１００とによって処理され、増幅されて、増幅スピーカ１１０によって演奏される。
【００１６】
図６に関して、コンバータ２００のブロック回路図は、容器２１の底上の信号接続ポート２３を示すJ1、J2およびJ3を含む。J4、J5、およびJ6は、容器２１の後ろの出力コネクタ２４を示す。前記J1およびJ2は、アナログ信号入力であり、前記J3はデジタル信号入力である。前記J4およびJ5はアナログ信号出力であり、前記J6はデジタル信号出力である。前記J1およびJ4は、電源端子として使われ、前記J4は、パワー調整用ＩＣ U1およびフィルタコンデンサＣ２により、直流電圧を提供することができる。
【００１７】
アナログ信号入力J2は、２つの抵抗器R2およびR3によって作られたインピーダンスマッチ回路に結合される。該インピーダンスマッチ回路は、さらに、パワーアンプU2の入力端子に結合される。パワーアンプU2により、信号を増幅し、音質を改善することができる。パワーアンプU2の出力端子は、可聴周波数寄生振動を避けるために、相互に直列接続された抵抗器R4およびコンデンサC4に結合される。パワーアンプU2の出力端子は、さらに、出力可聴周波数カップリングコンデンサC3にさらに結合される。可聴周波数カップリングコンデンサC3の他方の端子は、J5の出力端子に結合される。アナログ信号出力端子J5は、外部マイクロホン装置への結合に提供することができる。
【００１８】
デジタル信号入力端子J3は、ＤＣ(直流)電圧の正および負の入力ピンと、信号の入力ピンとを含む。直流電圧は、順方向ダイオードに結合する電源ターミナルJ1を経て得ることができる。
【００１９】
図７Ａないし７Ｄに関して、パワーアンプホスト１００の詳細な回路図が示されている。ＭＰ３などのデジタルオーディオファイルを受け取るために、信号の入力コネクタ１２は、ＵＳＢコネクタ、アナログ信号ライン入力端子ポートおよびデジタル信号入力ポートを含む。アナログ信号ライン入力端子ポートおよびデジタル信号入力ポートは、信号を受け取り、それから、前置増幅器ユニット１５に送る。前置増幅器ユニット１５は、音量を増減するための２つの音量調節ボタン１６に結合される。前置増幅器ユニット１５によって処理された信号は、次に、後段（ポスト）増幅ユニット１７に出力される。後段増幅ユニット１７の２つの出力端子が増幅スピーカ１１０にそれぞれ結合される。
【００２０】
結論すると、本考案のオーディオ変換演奏装置は、アダプタによって規格が異なる外部のオーディオ装置に結合することができる。したがって、前記オーディオ変換演奏装置は、様々なポータブル電子機器に適合でき、該電子機器に記憶された音声データを演奏のために取り出すことができ、明らかに、単一の電子機器をサポートすることができるだけの従来のオーディオ演奏装置に比較して改善されて、進歩している。
【００２１】
本考案が、例をとおして記載され、また好適な実施例で説明されたが、これらに限定されないことが理解できよう。それどころか、種々の変更、類似の配置および方法を含むことを意図しているので、添付の請求項の範囲は、すべてのそのような変更、類似の配置および方法を含むように最も広い解釈が与えられるべきである。
【図面の簡単な説明】
【００２２】
【図１】本考案の一実施例に依るオーディオ変換演奏装置の斜視図である。
【図２】図１の実施例の背面図である。
【図３】本考案の第２の実施例に依るオーディオ変換演奏装置の分解斜視図である。
【図４】図３のオーディオ変換演奏装置の上面図である。
【図５】本考案の第３の実施例によるオーディオ変換演奏装置の分解斜視図である。
【図６】本考案に依るコンバータの回路図である。
【図７Ａ】本考案に依るパワーアンプホストの回路図を示す。
【図７Ｂ】本考案に依るパワーアンプホストの回路図を示す。
【図７Ｃ】本考案に依るパワーアンプホストの回路図を示す。
【図７Ｄ】本考案に依るパワーアンプホストの回路図を示す。
【符号の説明】
【００２３】
１０    本体
１１    滑り溝
１２    信号入力コネクタ
２０    ホルダ
２１    開放容器
２２    リブ
２３    信号接続ポート
２４    信号出力コネクタ
３０    クリップボード
３１    リブ
４０    アダプタ
１００  パワーアンプホスト
１１０  増幅スピーカ
２００  コンバータ
【図１】
0003120915.tif 000003
【図２】
0003120915.tif 000004
【図３】
0003120915.tif 000005
【図４】
0003120915.tif 000006
【図５】
0003120915.tif 000007
【図６】
0003120915.tif 000008
【図７Ａ】
0003120915.tif 000009
【図７Ｂ】
0003120915.tif 000010
【図７Ｃ】
0003120915.tif 000011
【図７Ｄ】
0003120915.tif 000012